(57)【特許請求の範囲】
【請求項１】
車載可能な大きさの垂直面板を２枚、平行面となるように設置し、両面板の間隔をかごが通過できる程度にあける。この両面板の内面にそれぞれエンドレスのチエンをスプロケットギヤによって取り付けてチエンコンベア−を構成し、この両チエンコンベア−に橋架して取り付けた支持棒にかごの把持機構を取り付る。
この把持機構に買い物かごを吊り下げて、両チエンが同方向、同速度で周回し買い物かごがこの両面板の間隔を周回できるように構成する。
上記のかご周回装置により、先ず洗浄液を満たした洗浄槽に買い物かごを浸けて超音波により洗浄を行い、続いてオゾン水を満たしたオゾン水槽に買い物かごを浸けて殺菌・消毒を行ない、オゾン水によるシャワ−で濯ぎを行った後、乾燥機の送風口から噴き出す空気で乾燥する機能を有する連続自動洗浄装置を自動車等に搭載して移動可能にした移動式かご自動洗浄機。
【発明の詳細な説明】
【０００１】
【発明の属する技術分野】
この発明の移動式かご自動洗浄機は、ス−パマ−ケット等の量販店で、店舗が準備して客に貸し出す買い物かごの自動洗浄装置に関するもので、大量の買い物かごを１個づつ自動的に洗浄・殺菌・乾燥して、綺麗で衛生的な買い物かごを客に提供しようとするものであり、この自動洗浄機は貨物自動車に搭載して、どこにでも移動できるようにした、移動式のかご自動洗浄機に関するものである。
【０００２】
【従来の技術】
従来から量販店等では大量の買い物かごの洗浄を従業員が１個づつ手洗するか、又は清掃業者に委託して買い物かごの洗浄を行っていた。
前者は時間と人件費がかかり、完全な消毒・殺菌の効果を期しがたい。また、後者は清掃業者による買い物かごの引き取りと、洗浄後の搬入に日時を要し、迅速性に欠ける。
【０００３】
【発明が解決しようとする課題】
この発明は、買い物かご用の自動洗浄機を貨物自動車に搭載して、どこにでも移動できるようにし、各地に点在する量販店等を定期的に巡回して、買い物かごをこの装置で自動洗浄する事により、手洗いによる人件費を削減し、かつ、量販店等の要求に対して迅速に対応し、買い物かごの完全な洗浄・消毒・殺菌・乾燥を行おうとするものである。
【０００４】
【課題を解決するための手段】
前記課題を解決するため、次記の買い物かご自動洗浄機を貨物車の荷台に搭載する。
図１は本発明の自動洗浄機の機能を説明するための概念図である。  図について、Ｃは約８０ー１５０ｃｍ間隔に買い物かごＫを引っかけるフックＨを取り付けたチエンコンベア−であり、モ−タＭにより駆動され、約２分間で１周する。Ｓは洗浄液を満たした超音波式洗浄槽、Ｏはオゾン水を満たした消毒・殺菌槽、Ｒはオゾン水による濯ぎシャワ−、Ｅは乾燥用送風口である。
今 、チエンコンベア−Ｃの点１において買い物かごＫををフックＨに引っかけると買い物かご は下方に向かって移動し洗浄液を満たした洗浄槽Ｓに入る。この槽内の点４の付近で洗浄液に強力な超音波の振動を与えて買い物かごの汚れを落とす。買い物かごは洗浄後点５において上方に向かって移動し洗浄槽Ｓから出て、点６〜点８の付近で水切りをして、Ｏ槽に入る。Ｏ槽の点９の付近でオゾン水により消毒・殺菌を行う、買い物かごはＯ槽を出て上方に向かって移動し更に点１０の付近でオゾン水による濯ぎを行ってから、点１３の付近で送風口Ｅから吹き出す風により乾燥する。 乾燥した買い物かごは点１５の付近で人手によりフックから取り外されて洗浄を完了する。なお、Ｗはチエンコンベア−が垂下するのを防ぐためのガイドレ−ルである。
Ｓ槽の洗浄液は図３のポンプＰにより汲み出されフイルタ−Ｆを通過して洗浄液の汚濁物を取り除いた後Ｓ槽に帰る。また、車両の移動中に液のこぼれを防止するため、Ｓ槽の液は貯水タンクＴに保存してから移動する。
【０００５】
以上に記した自動洗浄機Ａを貨物自動車Ｊの荷台に搭載して、量販店等を定期的に巡回し、買い物かごの自動洗浄を行う。この自動洗浄機を運転するには電源と水道源及び排水溝がいるので、事前に洗浄車の停車場所の適否を確認しておく必要がある。
【０００６】
【発明実施の形態】
この発明は、貨物自動車Ｊに買い物かご用の自動洗浄機Ａを搭載して、どこにでも移動できるようにし、各地に点在する量販店等を定期的に巡回して適切な場所に駐車し、電源、水道水、排水溝を利用して、買い物かごの自動洗浄を行うものである。
買い物かご用の自動洗浄機は貨物自動車の荷台に積みやすくするため、荷台に合わせて横２ｍ、高さ２ｍ、奥行き３．５ｍ程度の箱体に構成し、本機を貨物自動車の荷台に搭載した場合自動車の後部から操作を行い易くするために、自動車の後部面（横２ｍ、高さ２ｍ）に各種装置の操作盤等を取り付けて、この面を箱体（自動洗浄機）の正面とする。
この箱体を正面に向かって横の長さを約０．７ｍづつに分けて３室に分割し、それぞれ中室（図１）、右室（図２）、左室（図３）とする。
図１について、中室の正面には未洗浄かごの供給部（点１）と洗浄済みかごの排出部（点１５）があり、下部には洗浄液を満たした洗浄槽Ｓと、オゾン水を満たした消毒・殺菌槽Ｏがあり、上部には濯ぎシャワ−散水口Ｒ、乾燥用送風機の送風口Ｅがある。また、中室の両側面にはチエンコンベア−Ｃを左右それぞれ１条づつ設置し、この両コンベア−間に取り付けたフックＨに買い物かごＫを吊り下げる、コンベア−はモ−タにより駆動され買い物かごを洗浄、殺菌、乾燥しながら移動する。
左室（図３）の上部にはオゾン水発生器Ｏｓ及びその操作盤等を配置し、下部には洗浄液を循環させるポンプＰや洗浄液を浄化するフイルタ−Ｆ等を配置する。また、右室（図２）の下部には乾燥用送風機Ｆａを設置し、ダクトで風を送風口Ｅに誘導する、右室の正面には電源操作盤Ｄ及び超音波発生器Ｕｓとその操作盤を設置し洗浄槽Ｓへ超音波を供給する。 箱体後部の外側に貯水タンクＴを設置し、車両の移動中に液のこぼれを防止するため、Ｓ槽の液はこの貯水タンクに保存してから移動する。
【実施例】
【０００７】
チエンコンベア−は中室の左右両側面板にそれぞれ別々に１条づつスプロケットギヤ−にチエンを張架して設置し、左右の両チエンは１台のモ−タによって減速駆動され、同方向、同位置、同速度で周回する。図４及び図５について、左右の両チエンＣｒ１，Ｃｌ１の間には買い物かごＫを吊り下げるフックＨとそれを支持する支持棒Ｑ１が取り付けられている。支持棒Ｑ１の両端は左右の両チエンＣｒ１，Ｃｌ１のリンクプレ−トに溶接する。
図５について、買い物かごＫを吊り下げるフックＨは大型の紙挟みと同じ機構であって買い物かごの上縁部を把持する。 フックＨの上端Ｈａはフック取り付けパイプＨｐに溶接されており、このパイプは取付棒Ｑ２を軸として回転する。取付棒Ｑ２と支持棒Ｑ１は連結金具Ｚによって結ばれており、連結金具Ｚは支持棒Ｑ１軸として自由に回転できるようにする。
チエンコンベア−のスプロケットギヤは箱体の両側面板の適切な位置に幾つか軸止し、これに張架されたチエンはスプロケットギヤと噛み合いながら周回する。
例えば チエンコンベア−には約０．８ｍ毎に１個の割合でフックＨを取り付け、コンベア−の全長約８ｍを１周して全部で１０個のフックが取り付けられている、コンベア−は約２分間で１周して１０個の買い物かごを洗浄し、１時間で約３００個の処理能力がある。
【０００８】
図４について、箱体中室上部の天板上に設置されたモ−タＭの回転力は減速機Ｇにより減速され、笠歯車Ｂｇによって方向を転換し、回転軸Ｓ２に伝えられる。この回転軸の両端にスプロケットギヤＧｒ１，Ｇｌ１が取り付けられ回転軸Ｓ２と共に回転する。なお回転軸Ｓ２は軸受けＢｒ１、Ｂｌ１により箱体上部の天板に固定されている。一方、箱体内部の中室の両側面板の点１２付近の位置には図４に示した様に２個のスプロケットギヤＧｒ２，Ｇｒ３が軸受けＢｒ２により取り付けられている。
（同様に、２個のスプロケットギヤＧｌ２，Ｇｌ３が軸受けＢｌ２により取り付けられている。）２個のスプロケットギヤＧｒ２とＧｒ３は軸受けＢｒ２をはさんで回転軸ＳＲ３に固定され共に回転する。スプロケットギヤＧｒ１とＧｒ２には補助チエンＣＲ２が張架され、スプロケットギヤＧｒ３にはチエンコンベア−Ｃｒ１が張架され、中室内を一周する。（同様にして２個のスプロケットギヤＧｌ２とＧｌ３は軸受けＢｌ２をはさんで回転軸Ｓｌ３に固定され共に回転する。スプロケットギヤＧｌ１とＧｌ２には補助チエンＣｌ２が張架され、スプロケットギヤＧｌ３にはチエンコンベア−Ｃｌ１が張架されて、中室内を一周する。）中室両側面板に取り付けられた左右両チエンコンベア−Ｃｒ１，Ｃｌ１は同方向に、同速度を保って中室内を周回する。この左右両チエンコンベア−に取り付けられたフックＨに買い物かごＫを吊り下げ中室内を周回しながらかごの洗浄、殺菌、濯ぎ、乾燥を行う。
【０００９】
図５について、左右両チエンコンベア−Ｃｒ１，Ｃｌ１の両リンクプレ−トに支持棒Ｑ１を溶接し、この支持棒の中程に、支持棒Ｑ１よりやや短めの取付棒Ｑ２を２個の連結金具Ｚによって取り付け、連結金具Ｚは支持棒Ｑ１を軸として自由に回転できるようにする。なお、連結金具Ｚが支持棒Ｑ１の軸方向の移動を止めるためＹリングＹをはめる。取付棒Ｑ２の両端は２個の連結金具Ｚにより支持棒Ｑ１に取り付けられているが取付棒Ｑ２の中程にフック取り付けパイプＨｐをはめ込み、このパイプは取付棒Ｑ２を軸として自由に回転できるようにする。
フック取り付けパイプＨｐの両端付近の表面にフック腕金Ｈａを左右１本づつ溶接し、この腕金の下端部で買い物かごを把持し易くするため、左右一対の突起を付けて固定フインガ−Ｈｆを形成する。フック腕金Ｈａの中程にフインガ−軸Ｑ３を取り付け、フインガ−軸Ｑ３には、これを軸として回転できるフインガ−パイプＦｐを差し込み、このパイプの表面にハンドルＨｎ及び可動フインガ−Ｈｍを溶接し、フインガ−軸Ｑ３の両端にスプリングＦｓをはめて、スプリングの反力により常時固定フインガ−Ｈｆと可動フインガ−Ｈｍが買い物かごを把持し、脱落しないようにする。
【００１０】
箱体内左室にはポンプＰやフイルタ−Ｆ等を配置して、中室内の洗浄槽Ｓの洗浄液をポンプＰで循環させ、買い物かごを洗浄した際に生ずる汚濁物をフイルタ−Ｆで除去する。また、洗浄作業を終了して、自動車を移動する時は中室内の洗浄槽Ｓの洗浄液がこぼれないようにポンプＰで洗浄液をタンクＴに移してから移動する。
図３について、箱体内左室の上部にはオゾン水発生器Ｏｓ及びその操作盤等を配置し、中室の消毒・殺菌槽Ｏと濯ぎシャワ−散水口Ｒにオゾン水を供給し、オゾンの強力な酸化力により買い物かごに付着している細菌等を死滅させ無菌で衛生的で清潔な買い物かごを来客に提供する。
図２について、右室の下部には乾燥用送風機Ｆａを設置し、ダクトで風を中室内の送風口Ｅに誘導する。送風口Ｅから吹き出す風力により買い物かごに付着している水滴を吹き飛ばして乾燥する。  送風口Ｅを上下２カ所に設け２方向から風を送り乾燥を早める。
右室の正面には電源操作盤Ｄ及び超音波発生器Ｕｓとその操作盤を設置し洗浄槽Ｓへ超音波を供給する。
【００１１】
実施例として、以上に記した機構を有する買い物かご自動洗浄機を貨物自動車の荷台に搭載し、各地に点在する量販店等を定期的に巡回して適切な場所に駐車し、電源、水道水、排水溝を利用して、買い物かごの自動洗浄を行う事ができる。
【００１２】
【発明の効果】
量販店等で使用している買い物かごの洗浄を従来のように人手により従業員が１個づつ手洗すると洗浄、殺菌、濯ぎだけで一人１個で約４分かかり、均一な洗浄・消毒・殺菌の効果を期しがたい。   本機により買い物かごの自動洗浄を行うと、人手により洗浄しょうとするかごをチエンコンベア−のフックに把持させる事と、洗浄済みのかごをフックから取り外す事以外はすべて自動的に行う事ができ、本機はチエンコンベア−が２分間で１周して、１０個の買い物かごを自動的に洗浄殺菌、濯ぎ乾燥を行う事ができるので人手による場合に比べて約２０倍の処理速度となり、洗浄むらがなく、超音波洗浄を行うので均一に洗浄できる。また、消毒、殺菌についてもオゾン水の強力な酸化力を利用しているので、より完全な効果を期待できる。
【００１３】
従来から量販店等では大量の買い物かごの洗浄を清掃業者に委託している場合もあるが、買い物かごの引き取りと、洗浄後の搬入等に日時を要し、迅速性に欠ける欠点があった、本発明は、自動洗浄機を貨物自動車の荷台に搭載し、各地に点在する量販店等を定期的に巡回して適切な場所に駐車し、買い物かごの自動洗浄を行なって即納する事ができる利点がある。
よって、本発明の移動式かご自動洗浄機を使用すると、買い物かごの洗浄、殺菌、濯ぎ、乾燥につき、従来から量販店等で従業員が１個づつ手洗していたのに比較すると処理時間の短縮、人件費の節約、効果の完璧性、処理の即応性の点で非常に有利であり、
必要に応じ広範囲に移動できるので、装置の稼動率が上がり、その経済効果は絶大である。量販店等の来客にいつでも綺麗で衛生的な買い物かごを提供できる。
【図面の簡単な説明】
【図１】移動式かご自動洗浄機の概念図（中室側面図）
【図２】移動式かご自動洗浄機の概念図（右室側面図）
【図３】移動式かご自動洗浄機の概念図（左室側面図）
【図４】チエンコンベア−駆動部の透視図
【図５】かご把持機構部の透視図
【符号の説明】
Ａ      かご自動洗浄機
Ｂｇ    笠歯車
Ｂｒ１、Ｂｌ１  Ｓ２の軸受け（左右）
Ｂｒ２、Ｂｌ２  Ｓ３の軸受け（左右）
Ｃ      チエンコンベア−
Ｃｒ１、Ｃｌ１  チエンコンベア−（左右）
Ｃｒ２、Ｃｌ２  補助チエン（左右）
Ｄ      電源操作盤
Ｄｒ    排水口
Ｅ      送風口
Ｆａ    乾燥用送風機
Ｆ      フイルタ−
Ｆｓ    スプリング
Ｆｐ    フインガ−パイプ
Ｇ      減速機
Ｇｒ１，Ｇｒ２   スプロケットギヤ（右補助チエン用）
Ｇｌ１，Ｇｌ２   スプロケットギヤ（左補助チエン用）
Ｇｒ３，Ｇｌ３   スプロケットギヤ（左右チエンコンベア−用）
Ｈ      フック
Ｈａ    フック腕金
Ｈｐ    フック取り付けパイプ
Ｈｎ    ハンドル
Ｈｍ    可動フインガ−
Ｈｆ    固定フインガ−
Ｋ      買い物かご
Ｍ      モ−タ
Ｏｓ    オゾン水発生器
Ｐ      ポンプ
Ｑ１    支持棒
Ｑ２    取付棒
Ｑ３    フインガ−軸
Ｒ      濯ぎシャワ−散水口
Ｓ      洗浄槽
Ｓ２    回転軸
Ｔ      貯水タンク
Ｕｓ    超音波発生器
Ｖ１〜Ｖ８   電磁バルブ
Ｗｓ    上水道
Ｙ      Ｙリング
Ｚ      連結金具
【図１】
0003827984.tif 000002
【図２】
0003827984.tif 000003
【図３】
0003827984.tif 000004
【図４】
0003827984.tif 000005
【図５】
0003827984.tif 000006